(57)【要約】  【課題】複数枚の絞り羽根を同時に同じ方向へ回転させて絞り開口を小さくしたとき、絞り羽根が撓まされても、絞り開口を形成する基準面からの変位量を少なくすることができるようにしたカメラ用絞り装置を提供すること。  【解決手段】地板１の羽根室側の面に形成された凹部１ｂには、羽根取付孔１ｃが形成されており、凹部１ｂの羽根室側の面は、凹部１ｂの外周から羽根取付孔１ｃの光軸側の近傍位置までは平坦面であり、その位置から光軸中心に向けてはテーパ面１ｂ−Ｔになっている。複数枚の絞り羽根３は、羽根軸３ａを羽根取付孔１ｃに嵌合させ、連結ピン３ｂを絞り駆動リング４のカム溝４ａに挿入している。絞り開口を小さくしていくと、各絞り羽根３は撓まされていくが、地板１にはテーパ面１ｂ−Ｔが形成されているため、撓みによる変位量が、絞り開口を形成する基準面の両側に振り分けられるようになる。【選択図】  図４
2009086303.tif 000002
【特許請求の範囲】
【請求項１】
各々が光軸を中心にした円形の開口部を有していて両者の間に羽根室を構成している地板及びカバー板と、光軸を中心にして略等角度間隔に形成された複数のカム溝を有していて前記羽根室内に配置されており駆動手段によって光軸を中心にして往復回転させられる絞り駆動リングと、各々が前記カム溝に挿入させる連結ピンを有していて光軸を中心にした略等角度間隔位置で前記地板の羽根室側の面に回転可能に取り付けられており協働して絞り開口を形成する複数枚の絞り羽根と、を備えていて、前記複数枚の絞り羽根は、前記地板と前記絞り駆動リングとの間において、全ての絞り羽根が隣接する２枚の絞り羽根の間にあって、それらの先端が、前記地板側に隣接している絞り羽根よりも前記カバー板側にあるように重ねられており、また、前記地板の羽根室側の面は、前記絞り羽根の取付部の光軸側の近傍位置から光軸中心に向け、前記駆動リングから離れる方向へ傾斜したテーパ面に形成されていることを特徴とするカメラ用羽根駆動装置。
【請求項２】
前記複数枚の絞り羽根は、前記カバー板と前記絞り駆動リングとの間において、全ての絞り羽根が隣接する２枚の絞り羽根の間にあって、それらの先端が、前記カバー板側に隣接している絞り羽根よりも前記地板側にあるように重ねられており、また、前記カバー板の羽根室側の面は、前記絞り羽根の取付部の光軸側の近傍位置から光軸中心に向け、前記絞り駆動リングから離れる方向へ傾斜したテーパ面に形成されていることを特徴とする請求項１に記載のカメラ用羽根駆動装置。
【発明の詳細な説明】
【技術分野】
【０００１】
本発明は、複数枚の絞り羽根が、絞り駆動リングによって同時に同じ方向へ往復回転させられ、協働して形成している絞り開口の大きさを変化させるようにしたカメラ用絞り装置に関する。
【背景技術】
【０００２】
複数枚の絞り羽根が絞り駆動リングによって同時に同じ方向へ回転させられることにより、協働して絞り開口の大きさを変化させるようにしたカメラ用絞り装置が、古くから知られている。この種の絞り装置の各絞り羽根は、地板とカバー板との間に構成された羽根室内において、地板に対して回転可能に取り付けられており、それらに設けられている連結ピンを、絞り駆動リングに形成されたカム溝に嵌合させているのが普通である。また、絞り駆動リングの方は、地板の羽根室側の面に光軸を中心にして環状に形成された凹部内に配置されており、往復回転することによってカム溝が絞り羽根を往復回転させるように構成されている。そして、その往復回転は手動で行われる場合と、電動で行われる場合とがあるが、最近では、ステップモータで行うように構成されたものが圧倒的に多い。また、絞り羽根と絞り駆動リングとの重なり配置関係は、絞り羽根が、絞り駆動リングと地板との間に配置されることもあるし、絞り駆動リングとカバー板との間に配置されることもある。
【０００３】
ところで、この種の絞り装置の場合には、絞り羽根は、全体的に細長い形状をしていて、一方の端部（以下、基端という）の近傍位置で地板に取り付けられており、露光開口を全開にしている位置（最大絞り開口制御位置）から絞り開口を小さくしていくときには、露光開口に進入させられ、他端（以下、先端という）を光軸中心に近づけていくように構成されている。そのため、各絞り羽根の先端位置は、露光開口に進入させられていくにしたがって不安定になり、光軸と平行な方向へ傾くようになって先端同士が離れたりし、同一平面上で絞り開口を適正に変化させることができなくなる。そして、そのような現象は、露光開口（最大絞り開口）が大きいほど顕著になる。
【０００４】
そこで、俗に、編み込み方式といわれている、絞り羽根の組み付け方が知られている。この組み付け方は、全ての絞り羽根が、隣接する２枚の絞り羽根の間にあって、それらの先端が、地板側とカバー板側の一方からは目視できるが、他方からは目視できないような状態に組み付けるものである。この方式を採用すると、先端同士が絡み合って支え合うようになるため、複数枚の絞り羽根を単純に重ねるようにして組み付けた場合よりも、絞り羽根の大きな傾きは解消されるが、絞り開口を小さくしていくと、それらの先端側が撓まされて、先端が、絞り開口を形成する基準面から、その基準面とは直交する方向へ盛り上がっていくようになる。そのため、この方式を採用した絞り装置の場合には、絞り開口を小さくしていくと、絞り羽根同士の軋みが大きくなってゆき、やがて、絞り羽根を回転させることができなくなり、それ以上の小さい絞り開口を形成することができなくなる。そして、下記の特許文献１には、そのような方式を採用したカメラ用絞り装置が記載されているが、本発明は、その種の絞り装置に関するものである。
【０００５】
【特許文献１】特開２００５−２８４１０２号公報
【発明の開示】
【発明が解決しようとする課題】
【０００６】
周知のように、カメラ用の絞り装置は、カメラ内においては、撮影レンズに近接して配置されている。そのため、上記の編み込み方式を採用した絞り装置の場合には、絞り装置の両側に撮影レンズを近接して配置すると、絞り開口を小さくしていって、絞り羽根の先端が盛り上がっていくと、その盛り上がり方向が地板側であってもカバー板側であっても、撮影レンズを傷付けてしまうことになる。そのため、絞り開口を形成する基準面からの先端の盛り上がり量を少なくすることが要求されている。また、絞り装置を製作する立場で考えると、その製作された絞り装置が、絞り装置の両側に撮影レンズが近接配置されるカメラにも、また、絞り装置の地板側にだけ撮影レンズが近接配置されるカメラにも、さらには、絞り装置のカバー板側にだけ撮影レンズが近接配置されるカメラにも、採用できるようにするために、絞り開口を形成する基準面からいずれの側へも絞り羽根の撓みによる変位量の少ない絞り装置の得られることが望まれている。
【０００７】
本発明は、このような問題点を解決するためになされたものであり、その目的とするところは、光軸を中心にして往復回転する絞り駆動リングが、いわゆる編み込み方式で組み付けられている複数枚の絞り羽根を同時に同じ方向へ回転させて絞り開口の大きさを変化させるようにした絞り装置において、絞り開口を小さくしていくにしたがって絞り羽根が撓まされ、先端が盛り上がっていっても、その撓みによる変位量が絞り開口を形成する基準面の両側に分散され、基準面からの変位量が好適に少なくなるようにしたカメラ用絞り装置を提供することである。
【課題を解決するための手段】
【０００８】
上記の目的を達成するために、本発明のカメラ用絞り装置は、各々が光軸を中心にした円形の開口部を有していて両者の間に羽根室を構成している地板及びカバー板と、光軸を中心にして略等角度間隔に形成された複数のカム溝を有していて前記羽根室内に配置されており駆動手段によって光軸を中心にして往復回転させられる絞り駆動リングと、各々が前記カム溝に挿入させる連結ピンを有していて光軸を中心にした略等角度間隔位置で前記地板の羽根室側の面に回転可能に取り付けられており協働して絞り開口を形成する複数枚の絞り羽根と、を備えていて、前記複数枚の絞り羽根は、前記地板と前記絞り駆動リングとの間において、全ての絞り羽根が隣接する２枚の絞り羽根の間にあって、それらの先端が、前記地板側に隣接している絞り羽根よりも前記カバー板側にあるように重ねられており、また、前記地板の羽根室側の面は、前記絞り羽根の取付部の光軸側の近傍位置から光軸中心に向け、前記絞り駆動リングから離れる方向へ傾斜したテーパ面に形成されているようにする。
【０００９】
また、前記複数枚の絞り羽根は、前記カバー板と前記絞り駆動リングとの間において、全ての絞り羽根が隣接する２枚の絞り羽根の間にあって、それらの先端が、前記カバー板側に隣接している絞り羽根よりも前記地板側にあるように重ねられており、また、前記カバー板の羽根室側の面は、前記絞り羽根の取付部の光軸側の近傍位置から光軸中心に向け、前記絞り駆動リングから離れる方向へ傾斜したテーパ面に形成されているようにしてもよい。
【発明の効果】
【００１０】
本発明は、光軸を中心にして往復回転する絞り駆動リングが、いわゆる編み込み方式で組み付けられている複数枚の絞り羽根を同時に同じ方向へ回転させて絞り開口の大きさを変化させるようにしたカメラ用絞り装置において、地板又はカバー板の羽根室側の面に、絞り駆動リングの外周に略対応するところから光軸中心に向けて、絞り駆動リングから離れる方向へ傾斜したテーパ面を形成しているので、絞り開口を小さくしていくにしたがって絞り羽根が撓まされ、先端が盛り上がっていっても、その変位量が、絞り開口を形成する基準面から両側に振り分けられることによって、基準面からの変位量としては必然的に少なくなり、撮影レンズを絞り装置のいずれの側に近接配置しても、撮影レンズを傷付けてしまうことがないという効果がある。
【発明を実施するための最良の形態】
【００１１】
本発明の実施の形態を、図示した実施例によって説明する。本発明のカメラ用絞り装置は、単体の絞り装置として構成することも、シャッタ装置と共にユニット化した絞り装置として構成することも可能であるが、実施例は、単体の絞り装置として構成したものである。そして、図１は、最大絞り開口の制御状態を示した平面図であり、図２は、最大絞り開口からの絞り込み途中の状態を示した平面図であり、図３は、最小絞り開口の制御状態を示した平面図である。また、図４は、図３の要部断面図である。
【実施例】
【００１２】
先ず、本実施例の構成を説明する。本実施例のカメラ用絞り装置は、地板１とカバー板２との間に羽根室を構成している。カバー板２は、適宜な手段によって地板１に取り付けられており、地板１とは略同じ外形形状をしているが、図１においては、羽根室内の構成を分かり易くするために、その一部だけが示されていて、図２及び図３では省略されている。本実施例の地板１は、合成樹脂製であり、その中央部には光軸を中心にした円形の開口部１ａを形成している。また、カバー板２も合成樹脂製であって、その中央部には光軸を中心にした円形の開口部２ａを形成している。そして、通常は、地板１の開口部１ａの方が開口部２ａよりも直径が小さくて、露光開口（最大絞り口径）を規制するようにしていることが多いが、本実施例の場合には、両者の直径は同じである。
【００１３】
地板１の羽根室側の面には、開口部１ａを囲むようにして凹部１ｂが形成されている。その凹部１ｂの底面、即ち地板の羽根室側の面には、光軸を中心にした略等角度間隔位置に七つの羽根取付孔１ｃが形成されているが、図１〜図３においては、それらの一つだけに符号を付けてある。また、その凹部１ｂの底面は、外周から羽根取付孔１ｃの光軸側の近傍位置（図１〜図３においては、その位置を二点鎖線の円形で示してある）までは平坦面であるが、その位置からは、光軸中心に向けて、後述する絞り駆動リング４から離れる方向（図面の奥方向）へ僅かに傾斜したテーパ面１ｂ−Ｔ（図４参照）として形成されている。更に、凹部１ｂには、図１において下方へ広げて形成されている底面に、円弧状に突条１ｄが形成されているほか、外周の縁に、互いに類似な形状をした合計八つのガイド部１ｅが形成されているが、図１〜図３においては、それらのガイド部１ｅの一つだけに符号を付けてある。更に、地板１には、上記の突条１ｄの両端から若干離れたところに、夫々ストッパ部１ｆ，１ｇが形成されている。
【００１４】
上記の凹部１ｂ内には、７枚の絞り羽根３が配置されているが、それらは全て同じ形状をしているため、図１〜図３においては、それらのうちの１枚だけに符号を付けてある。そして、それらの絞り羽根３は、地板１側に羽根軸３ａを有し、カバー板２側に連結ピン３ｂを有していて、その羽根軸３ａを上記の羽根取付孔１ｃに回転可能に嵌合させている。また、本実施例においては、７枚の絞り羽根３が、いわゆる編み込み式といわれている方法で組み付けられている。即ち、図２及び図３を見れば分かるように、全ての絞り羽根３は、隣接している２枚の絞り羽根３の間にあり、その先端が、隣接している地板１側の絞り羽根３に対して、必ずカバー板２側となるようにして重ねられている。そのため、図２及び図３においては、それらの先端が見えているが、図面の反対側から見た場合には、それらの先端を一つも見ることができないようになっている。
【００１５】
また、上記の凹部１ｂ内には、絞り羽根３よりもカバー板２側に絞り駆動リング４が配置されていて、外周面を上記の八つのガイド部１ｅに接触させ、光軸を中心にして往復回転させられるようになっている。この絞り駆動リング４は、光軸を中心にして略等角度間隔に、長孔形状をした七つのカム溝４ａを形成していて、上記の連結ピン３ｂを個々に挿入させている。また、この絞り駆動リング４は、外周部の一部に、歯部４ｂと張出部４ｃを有していて、張出部４ｃは、上記の突条１ｄに摺接するようになっている。
【００１６】
本実施例においては、このような絞り駆動リング４が、所定の回転角度範囲内において、ステップモータによって往復回転させられるようになっている。そのステップモータは、羽根室外において地板１に取り付けられているが、その構成は周知であるため、図１〜図３においては、その詳細な構成を示しておらず、地板１の羽根室外に配置されている永久磁石製の回転子５と、羽根室側に貫通された出力軸５ａだけが示されている。そして、その出力軸５ａには、歯車６が取り付けられている。また、地板１に立設されている軸１ｈには、親子歯車（２段歯車）７が回転可能に取り付けられており、親歯車は歯車６に噛合し、子歯車は絞り駆動リング４の歯部４ｂに噛合している。尚、本実施例の絞り駆動リング４は、ステップモータによって往復回転させられるように構成されているが、本発明の絞り駆動リングは、手動で往復回転させられるようにしてもよい。
【００１７】
次に、本実施例の作動を説明する。図１は、７枚の絞り羽根３が開口部１ａを全開にしている状態、即ち最大絞り開口の制御状態を示したものであり、被写体光が、所定の明るさよりも暗い場合には、このまま撮影が行われるが、被写体光が、所定の明るさよりも明るい場合には、ステップモータの回転子５が時計方向へ回転させられる。それによって、絞り駆動リング４が、歯車６と親子歯車７を介して時計方向へ回転させられるので、７枚の絞り羽根３は、連結ピン３ｂをカム溝４ａに押され、同時に反時計方向へ回転させられて、開口部１ａ内に進入し、それらの絞り羽根３の協働によって絞り開口を小さくしていく。このとき、７枚の絞り羽根３は、互いに編み込まれているし、その基端（羽根軸３ａの近傍領域）が、凹部１ｂの平坦面と絞り駆動リング４に挟まれているため、絞り開口を形成する基準面に沿って作動させられていく。
【００１８】
そして、本実施例の絞り装置がスチルカメラに採用されている場合には、所定の絞り開口が得られたところで回転子５が停止し、撮影が行われることになるし、ムービーカメラに採用されている場合には、被写体光の変化に対応して、回転子５が時計方向へ回転させられたり反時計方向へ回転させられたりして、常に適正な露光条件での撮影が行われるように絞り開口を変化させることになる。図２は、そのようにして、７枚の絞り羽根３が、最大絞り開口と最小絞り開口との途中であって、かなり最小絞り開口制御位置に近づいた状態を示したものであるが、この状態のときには、編み込み方式特有の現象は顕著になっておらず、７枚の絞り羽根３は、絞り開口を形成する基準面に沿った姿勢を保っている。
【００１９】
絞り駆動リング４が、この図２の状態からさらに時計方向へ回転させられていくと、編み込み方式特有の現象が大きくなってきて、各絞り羽根３は撓まされ、先端がカバー板２側へ盛り上がっていく。ところが、本実施例の場合には、地板１の凹部１ｂにテーパ面１ｂ−Ｔ形成されているため、各絞り羽根３の中央部は地板１側へ変位させられていくようになる。その結果、各絞り羽根３の撓み量は従来と同じであっても、それらの先端が、絞り開口を形成する基準面（図４において一点鎖線で示してある）から地板側に変位する量が減少させられることになる。このようにして、絞り駆動リング４がなおも時計方向へ回転させられ、その張出部４ｃがストッパ部１ｇに当接して停止させられた状態が図３に示されているが、この状態が、最小絞り開口の制御状態であって、そのときの絞り羽根３の変形・変位状態を示したのが図４である。
【００２０】
このようにして、撮影が終了すると、回転子５は、反時計方向へ回転させられ、絞り駆動リング４を反時計方向へ回転させ、７枚の絞り羽根３を時計方向へ回転させる。そして、それらの回転は、絞り駆動リング４の張出部４ｃがストッパ部１ｆに当接することによって停止させられる。その状態が図１に示された状態である。尚、本実施例は、図１が撮影開始前の状態であることにして説明したが、図３に示された状態を撮影開始前の状態にしてもよいことは言うまでもない。
【００２１】
尚、本実施例の場合には、７枚の絞り羽根３を、地板１と絞り駆動リング４の間に配置しているが、本発明は、７枚の絞り羽根３を、絞り駆動リング４とカバー板２との間に配置するようにしてもよい。但し、その場合には、本実施例におる七つの羽根取付軸１ｃを、絞り駆動リング４の外周の外側に設けるようにして、そこに絞り羽根３の羽根軸３ａを嵌合させ、且つ絞り羽根３の連結ピン３ｂを地板１側に設けるようにして、カバー板２側からカム溝４ａに挿入させ、なお且つ本実施例のテーパ面１ｂ−Ｔに相当するテーパ面をカバー板２に形成することになる。
【図面の簡単な説明】
【００２２】
【図１】最大の絞り開口の制御状態を示した実施例の平面図である。
【図２】絞り込み途中の状態を示した実施例の平面図である。
【図３】最小の絞り開口の制御状態を示した実施例の平面図である。
【図４】図３の要部断面図である。
【符号の説明】
【００２３】
１                            地板
１ａ，２ａ                    開口部
１ｂ                          凹部
１ｂ−Ｔ                      テーパ面
１ｃ                          羽根取付孔
１ｄ                          突条
１ｅ                          ガイド部
１ｆ，１ｇ                    ストッパ部
１ｈ                          軸
２                            カバー板
３                            絞り羽根
３ａ                          羽根軸
３ｂ                          連結ピン
４                            絞り駆動リング
４ａ                          カム溝
４ｂ                          歯部
４ｃ                          張出部
５                            永久磁石回転子
５ａ                          出力軸
６                            歯車
７                            親子歯車
【図１】
2009086303.tif 000003
【図２】
2009086303.tif 000004
【図３】
2009086303.tif 000005
【図４】
2009086303.tif 000006